(57)【要約】【課題】小型化を阻害せずに簡易な機構で球面収差等の収差を補正することができる高性能な光ピックアップ装置の提供を目的とする。【解決手段】光源であるレーザー１と、レーザー１から発光された光を光ディスク９の信号面に集光する対物レンズ３と、対物レンズ３を少なくとも一方向に可動させる対物レンズ駆動用コイル４と対物レンズ用の収差補正用コイル６と、収差補正に用いる電流を制御する収差補正電流制御手段１０と、収差検出手段１１とを備え、収差検出手段１１の検出結果に基づき対物レンズ用の収差補正用コイル６に補正用電流を流して対物レンズ３を加熱することによりレンズ系の収差を補正するので、小型化できて簡易な機構で高性能な光ピックアップ装置を構成することができる。【選択図】図１
2006031809.tif 000002
【特許請求の範囲】
【請求項１】
光源であるレーザーと、前記レーザーから発光された光を光ディスクの信号面に集光するレンズ系と、前記レンズ系の少なくとも一つの光学素子を少なくとも一方向に可動させる駆動手段とを備えた光ピックアップ装置において、前記レンズ系のいずれかの光学素子の周囲に設けられたレンズ系収差補正用コイルと、前記レンズ系の収差検出手段と、前記レンズ系収差補正用コイルに補正用電流を流して前記レンズ系のいずれかの光学素子を加熱し収差を補正する手段と、前記レンズ系収差補正用コイルに流す補正用電流を前記収差検出手段による収差検出結果に基づき制御する収差補正電流制御手段とを有することを特徴とする光ピックアップ装置。
【請求項２】
レンズ系の少なくとも一つの光学素子の周囲にレンズ系加熱用金属板を設け、前記レンズ系加熱用金属板にレンズ系収差補正用コイルを装着したことを特徴とする請求項１に記載の光ピックアップ装置。
【請求項３】
光源であるレーザーと、少なくとも前記レーザーから発光された光を光ディスクの信号面に集光する対物レンズを有するレンズ系と、前記対物レンズを少なくとも一方向に可動させる駆動手段とを備えた光ピックアップ装置において、前記対物レンズの周囲に設けられたレンズ系収差補正用コイルと、前記レンズ系の収差検出手段と、前記レンズ系収差補正用コイルに補正用電流を流して前記対物レンズを加熱し収差を補正する手段と、前記レンズ系収差補正用コイルに流す補正用電流を前記収差検出手段による収差検出結果に基づき制御する収差補正電流制御手段とを有することを特徴とする光ピックアップ装置。
【請求項４】
対物レンズの周囲に対物レンズ駆動手段を巻装し、この対物レンズ駆動手段をレンズ系収差補正用コイルの全部または一部として兼用し、前記対物レンズ駆動手段の可動制御用には使用しない周波帯域の電流を補正用電流として利用して前記レンズ系収差補正用コイルにより前記レンズ系の収差を補正することを特徴とする請求項３に記載の光ピックアップ装置。
【請求項５】
対物レンズの周囲に対物レンズ加熱用金属板を設け、前記対物レンズ加熱用金属板にレンズ系収差補正用コイルを装着したことを特徴とする請求項３または４に記載の光ピックアップ装置。
【請求項６】
光源であるレーザーと、少なくとも前記レーザーから発光された光を平行光束にするコリメートレンズおよび前記コリメートレンズからの平行光束を光ディスクの信号面に集光する対物レンズを有するレンズ系とを備えた光ピックアップ装置において、前記コリメートレンズの周囲に設けられたレンズ系収差補正用コイルと、前記レンズ系の収差検出手段と、前記レンズ系収差補正用コイルに補正用電流を流して前記コリメートレンズを加熱して前記レンズ系の収差を補正する手段と、前記レンズ系収差補正用コイルに流す補正用電流を前記収差検出手段による収差検出結果に基づき制御する収差補正電流制御手段とを有することを特徴とする光ピックアップ装置。
【請求項７】
コリメートレンズの周囲にコリメートレンズ加熱用金属板を設け、前記コリメートレンズ加熱用金属板にレンズ系収差補正用コイルを装着したことを特徴とする請求項６に記載の光ピックアップ装置。
【請求項８】
光源であるレーザーと、少なくとも前記レーザーから発光された光を平行光束にするコリメートレンズおよび前記コリメートレンズからの平行光束を光ディスクの信号面に集光する対物レンズを有するレンズ系と、前記対物レンズを少なくとも一方向に可動させる対物レンズ駆動手段とを備えた光ピックアップ装置において、前記対物レンズの周囲に設けられた第１のレンズ系収差補正用コイルと、前記コリメートレンズの周囲に設けられた第２のレンズ系収差補正用コイルと、前記第１、第２のレンズ系収差補正用コイルに補正用電流を流して前記対物レンズおよび前記コリメートレンズを加熱して前記レンズ系の収差を補正する手段と、前記レンズ系の収差検出手段と、前記対物レンズ用の第１の収差補正用コイルおよび前記コリメートレンズ用の第２の収差補正用コイルに流す補正用電流を前記収差検出手段による収差検出結果に基づき制御する収差補正電流制御手段とを有することを特徴とする光ピックアップ装置。
【請求項９】
対物レンズの周囲に対物レンズ駆動手段を巻装し、この対物レンズ駆動手段を対物レンズ用の収差補正用コイルの全部または一部として兼用し、前記対物レンズ駆動手段の可動制御用には使用しない周波帯域の電流を補正用電流として利用して前記対物レンズ用の収差補正用コイルによりレンズ系の収差を補正することを特徴とする請求項８に記載の光ピックアップ装置。
【請求項１０】
対物レンズの周囲に対物レンズ加熱用金属板を設け、前記対物レンズ加熱用金属板に対物レンズ用の収差補正用コイルを装着し、また、コリメートレンズの周囲にコリメートレンズ加熱用金属板を設け、前記コリメートレンズ加熱用金属板にコリメートレンズ用の収差補正用コイルを装着したことを特徴とする請求項８または９に記載の光ピックアップ装置。
【発明の詳細な説明】
【技術分野】
【０００１】
本発明は、光ディスクにレーザー光を投射して光ディスクに信号の記録再生を行う光学式ディスク記録再生装置に用いる光ピックアップ装置に関するものである。
【背景技術】
【０００２】
光ピックアップ装置は、レーザー光源より発せられたレーザー光を、対物レンズを含むレンズ系で光ディスク上に集光して投射し、光ディスク上の記録信号に対応した光を受光素子で受光し、電気信号に変換して外部の電気回路に出力するものである。このレンズ系で生じる球面収差等の収差はレーザー光が光ディスク上に適正にフォーカスされていない状態であり、収差が生じると光ディスク上の光スポットが劣化し、電気信号が劣化する原因となる。電気信号が劣化すると、光ディスク等のクリアーな記録再生が妨げられるため、光ピックアップ装置のレンズ系に生じる収差を補正する必要がある。
【０００３】
従来の光ピックアップ装置としては、図６に示すものがある（例えば、特許文献１参照）。図６において、１０１は光源であるレーザー、１０２はレーザー光を平行光束にするコリメートレンズ、１０３は平行光束を光ディスク１１０の信号面に集光する対物レンズである。コリメートレンズ１０２の周囲には磁性体（図示せず）が固着されており、コリメートレンズ１０２の周囲に装着してあるコリメートレンズ可動用コイル１０６に電流を流すことによって、コリメートレンズ１０２を光路方向１２２に可動できる構成である。
【０００４】
例えば、コリメートレンズ１０２の位置が光路方向１２２に変位し、レーザー１０１に近くなった場合、コリメートレンズ１０２から出射される光は発散光束になり、対物レンズ１０３による集光点が通常の焦点距離より遠くなり、収差が発生する。
【０００５】
また、環境温度が変化すると対物レンズ１０３の屈折率が変化し、焦点距離も変化するため、収差が発生する。
【０００６】
これらの要因で発生した収差を補正するために、コリメートレンズ可動用コイル１０６に収差補正用の電流を流し、コリメートレンズ１０２を光路方向１２２に可動させ、対物レンズ１０３から出射されるレーザー光の集光点を変化させている。
【０００７】
従来の光ピックアップ装置の他の例としては、図７に示すものがある（例えば、特許文献２参照）。図７において、２０１は光源であるレーザー、２０２はレーザー光を平行光束にするコリメート用圧電レンズ、２０３は平行光束を光ディスク２１０の信号面に集光する対物レンズである。コリメート用圧電レンズ２０２の外周側に形成されている一対の電極２０２ａ、２０２ｂに収差補正用の電圧を印加することによって、対物レンズ２０３から出射される集光点を補正することができ、収差を抑えている。
【特許文献１】特開平６−１２６７８号公報
【特許文献２】特開平５−４７０１１号公報
【発明の開示】
【発明が解決しようとする課題】
【０００８】
しかしながら、特許文献１の従来技術においては、収差を補正するためにコリメートレンズを可動させなければならないので、コリメートレンズを光路方向に可動させるための空間が必要となり、光ピックアップ装置の小型化を阻害する。また、コリメートレンズを可動させる際に傾きが発生しないよう、コリメートレンズを高精度に可動させる機構が必要であり、光ピックアップ装置の構成の簡易化を妨げる。
【０００９】
さらに、特許文献２の従来技術においては、収差を補正するためには電圧に応じて屈折率を変化させる特殊なコリメート用圧電レンズが必要であり、量産性を考慮したときに実現が困難であると共に、光ピックアップ装置のコストが上がることとなる。
【００１０】
本発明は、上記の従来の課題を解決するもので、小型化できて、簡易な構成でレンズ系の収差を補正することができる高性能な光ピックアップ装置を提供することを目的とする。
【課題を解決するための手段】
【００１１】
上記のような従来の課題を解決するために、本発明の光ピックアップ装置は、光源であるレーザーと、そのレーザーから発光された光を光ディスクの信号面に集光するレンズ系と、レンズ系の少なくとも一つの光学素子を少なくとも一方向に可動させる駆動手段とを備えた光ピックアップ装置において、レンズ系のいずれかの光学素子の周囲に設けられたレンズ系収差補正用コイルと、レンズ系の収差検出手段と、レンズ系収差補正用コイルに補正用電流を流してレンズ系のいずれかの光学素子を加熱し収差を補正する手段と、レンズ系収差補正用コイルに流す補正用電流を収差検出手段による収差検出結果に基づき制御する収差補正電流制御手段とを有することを特徴とし、この収差補正用コイルに補正用電流を流していずれかの光学素子を熱することによってその光学素子の特性を変化させ、球面収差等の収差を補正する。
【発明の効果】
【００１２】
本発明の光ピックアップ装置は、レンズ系の少なくとも一つの光学素子の周囲にレンズ加熱用の収差補正用コイルを設け、このコイルに補正用電流を流し、レンズ系の少なくとも一つの光学素子を加熱することによって、小型化した簡易な機構でレンズ系の球面収差等の収差を補正することができる高性能な光ピックアップ装置を構成することができる。
【発明を実施するための最良の形態】
【００１３】
第１の発明は、レンズ系の少なくとも一つの光学素子の周囲に収差を補正するのに用いるレンズ系収差補正用コイルを設け、この収差補正用コイルに収差検出手段により収差を検出した結果に基づいて補正用電流を流して、いずれかの光学素子を加熱することによりレンズ系の収差を補正し、小型化ができ、簡易な機構で収差を補正することができる高性能な光ピックアップ装置を構成することができる。
【００１４】
第２の発明は、第１の発明の光ピックアップ装置が備えるレンズ系の少なくとも一つの光学素子の周囲にレンズ系加熱用金属板を設けることにより、レンズ系収差補正用コイルによりレンズ系の少なくとも一つの光学素子を均一に加熱し、レンズ系の収差を補正し、小型化ができ、簡易な機構で収差を補正する高性能な光ピックアップ装置を構成することができる。
【００１５】
第3の発明は、対物レンズの周囲にレンズ系収差補正用コイルを設け、このレンズ系収差補正用コイルにより対物レンズを加熱することにより、小型化ができ、簡易な機構でレンズ系の収差を補正する高性能な光ピックアップ装置を構成することができる。
【００１６】
第４の発明は、第３の発明の光ピックアップ装置が備える対物レンズの周囲に対物レンズ駆動手段を巻装し、この対物レンズ駆動手段をレンズ系収差補正用コイルの全部または一部として兼用し、対物レンズの可動制御用には使用しない周波帯域の電流を使用してレンズ系の収差を補正し、小型化ができ、簡易な機構で収差を補正する高性能な光ピックアップ装置を構成することができる。
【００１７】
第５の発明は、第３の発明または第４の発明の光ピックアップ装置が備える対物レンズの周囲に対物レンズ加熱用金属板を設けることにより、レンズ系収差補正用コイルにより対物レンズを均一に加熱し、レンズ系の収差を補正し、小型化ができ、簡易な機構で収差を補正する高性能な光ピックアップ装置を構成することができる。
【００１８】
第６の発明は、コリメートレンズの周囲にレンズ系収差補正用コイルを設け、収差検出手段により収差を検出した結果に基づいて補正用電流を流して、このコイルによりコリメートレンズを加熱することによりレンズ系の収差を補正し、小型化ができ、簡易な機構で収差を補正する高性能な光ピックアップ装置を構成することができる。
【００１９】
第７の発明は、第６の発明の光ピックアップ装置が備えるコリメートレンズの周囲にコリメートレンズ加熱用金属板を設けることにより、レンズ系収差補正用コイルによりコリメートレンズを均一に加熱し、レンズ系の収差を補正し、小型化ができ、簡易な機構で収差を補正する高性能な光ピックアップ装置を構成することができる。
【００２０】
第８の発明は、対物レンズ用の収差補正用コイルにより対物レンズを加熱し、また、コリメートレンズ用の収差補正用コイルによりコリメートレンズを加熱することにより、対物レンズを含むレンズ系の収差を補正し、小型化ができ、簡易な機構で収差を補正する高性能な光ピックアップ装置を構成することができる。
【００２１】
第９の発明は、第８の発明の光ピックアップ装置が備える対物レンズの周囲に対物レンズ駆動手段を巻装し、この対物レンズ駆動手段を対物レンズ収差補正用コイルの全部または一部として兼用し、対物レンズ用の収差補正用コイルにより対物レンズを加熱することにより、レンズ系の収差を補正し、小型化ができ、新たな部品を付け加えることなく簡易な機構で収差を補正する高性能な光ピックアップ装置を構成することができる。
【００２２】
第１０の発明は、第８の発明または第９の発明の光ピックアップ装置が備える対物レンズの周囲に対物レンズ加熱用金属板を設け、また、コリメートレンズの周囲にコリメートレンズ加熱用金属板を設けることにより、対物レンズ用の収差補正用コイルおよびコリメートレンズ用の収差補正用コイルにより対物レンズおよびコリメートレンズを均一に加熱することにより、レンズ系の収差を補正し、小型化ができ、簡易な機構で収差を補正する高性能な光ピックアップ装置を構成することができる。
【００２３】
以下、本発明の具体的な実施の形態について、図面を参照しながら説明する。
【００２４】
（実施の形態１）
図１は、本発明の第１の実施の形態における光ピックアップ装置の図を示すものである。図１において、１は光源であるレーザー、２はレーザー光を平行光束にするコリメートレンズ、３は平行光束を光ディスク９の信号面に集光して投射する対物レンズである。これらコリメートレンズ２、対物レンズ3を含んでレンズ系が構成されている。なお、レンズ系には、この他にプリズムや各種のレンズ等の光学素子が含まれることがあるが、ここでは省略している。対物レンズ３には、通常、光ディスクの高さ方向、半径方向の２軸に可動できるように、それぞれ独立に２軸方向に駆動手段としての対物レンズ駆動用コイル４が巻装されている。さらに、対物レンズ３の周囲には、収差補正手段である収差補正用コイル６が装着されている対物レンズ加熱用金属板５が備えられている。また、１０は収差補正に用いる補正用電流を制御する収差補正電流制御手段、そして１１はレンズ系の収差検出手段である。
【００２５】
以上のように構成された光ピックアップ装置について、以下、その動作、作用を説明する。まず、図５は、光ピックアップ装置の光路図を示したものである。光ディスク９は、信号面のみを示す。通常は、図５（ａ）の通り、コリメートレンズ２の焦点５２ａの位置にてレーザー光が発光し、コリメートレンズ２で平行光束となって出射される。平行光束は、対物レンズ３を通り、対物レンズ３の焦点５３ａに位置する光ディスク９の信号面に集光する。通常、対物レンズ３の焦点距離は、コリメートレンズ２の焦点距離より短く設定されている。
【００２６】
次に、収差発生およびその補正メカニズムについて説明する。図５（ｂ）は、環境温度が低下した場合の光路図である。環境温度が低下した場合、対物レンズ３が収縮し、屈折率が増加するため、対物レンズ３の焦点は５３ｂとなり、５３ａより近くなるため球面収差等の収差が発生する。
【００２７】
上記のような収差を補正する手段について説明する。図１の収差検出手段１１により、光ディスク９を再生した信号であるＲＦ信号の振幅や再生信号の品位を示すジッター値を検出することにより対物レンズ３に生じる収差を検出する。その結果に基づき、対物レンズ用の収差補正用コイル６に収差補正用の電流を流し、収差補正用コイル６により熱を発生させることによって、対物レンズ３の温度を上げ、変形させて対物レンズ３の焦点を５３ｂから５３ａに近づけることによって収差を補正する。対物レンズ用の収差補正用コイル６に流す収差補正用の電流量は、光ディスク９を再生した信号であるＲＦ信号の振幅を最大にする、もしくは再生信号の品位を示すジッター値を最小とするように収差補正電流制御手段１０により制御する。
【００２８】
なお、対物レンズ用の収差補正用コイル６によって発生する熱が対物レンズ３に不均一に伝わると、対物レンズ３に非点収差が発生することがある。この対策としては、対物レンズ３の周囲に対物レンズ加熱用金属板５を備え、対物レンズ加熱用金属板５に収差補正用コイル６を装着することによって、対物レンズ加熱用金属板５を介して対物レンズ３を均一に加熱する構成とすることもできる。
【００２９】
以上のように、本実施の形態においては、対物レンズ３に対物レンズ用の収差補正用コイル６を用いて発生した熱により対物レンズ３の屈折率を変化させることにより、環境温度が低下した場合に生じる球面収差等の収差を補正することができ、高性能な光ピックアップ装置を実現できる。そして、このように収差補正用コイル６を対物レンズ3の周囲に設けて構成しているので、収差補正のために対物レンズ3を移動させる必要がなく、収差補正用の可動手段を不要にできるので、小型化でき、簡易な構成で高性能な光ピックアップ装置を作ることができる。
【００３０】
（実施の形態２）
図２は、本発明の実施の形態２における光ピックアップ装置の構成図を示す。なお、実施の形態１を説明する図１と同一部分には、同一符号を付し、それらの説明は省略する。図２における対物レンズ３には、通常、光ディスクの高さ方向、半径方向の２軸に可動できるようにそれぞれ独立に２軸方向に対物レンズ駆動用コイル４が装着されているが、本実施形態では、この対物レンズ駆動用コイル４を、対物レンズ用の収差補正用コイル６の一部または全部としても兼用するように構成している。
【００３１】
なお、必要に応じて対物レンズ加熱用金属板５にも対物レンズ駆動用コイル４の一部が収差補正用コイル６として装着してもよい。
【００３２】
以上のように構成された光ピックアップ装置について、以下、その動作、作用を説明する。まず、環境温度が低下した際の収差発生およびその収差を補正するメカニズムについては、上記実施の形態１と同様なので、説明は省略する。対物レンズ駆動用コイル４には、対物レンズ３により集光したレーザー光が、光ディスク９の高さ方向、半径方向２軸に対し、所定の信号位置を追従するように制御するための電流が流されている。対物レンズ３を追従させるように可動制御するために必要な信号の周波数帯域は、通常のＤＶＤプレーヤーでは１から５ｋＨｚ以下である。したがって、通常のＤＶＤプレーヤーの場合には、対物レンズ３の収差を補正するために用いる電流としては、この可動制御と干渉しないように、対物レンズ駆動用コイル４の可動制御用には使用しない５ｋＨｚ以上の高周波帯域を利用することが望ましい。
【００３３】
以上のように、本実施の形態においては、対物レンズ用の収差補正用コイル６の一部または全部として対物レンズ駆動用コイル４の一部または全部を兼用することにより、新たな部品を追加せず、かつ、コストを上げることなく、簡易な機構で環境温度が低下した場合に生じる収差を補正することができ、高性能な光ピックアップ装置を実現できる。そして、このように収差補正用コイル６を対物レンズ3の周囲に設けて構成しているので、収差補正のために対物レンズ3を移動させる必要がなく、収差補正用の可動手段を不要にできるので、小型化でき、簡易な構成で高性能な光ピックアップ装置を作ることができる。
【００３４】
（実施の形態３）
図３は、本発明の実施の形態３における光ピックアップ装置の構成図を示す。なお、実施の形態１を説明する図１と同一部分には、同一符号を付し、それらの説明は省略する。図３において、コリメートレンズ２の周囲には、コリメートレンズ加熱用金属板７が備えられており、コリメートレンズ加熱用金属板７には、コリメートレンズ収差補正手段であるコリメートレンズ用の収差補正用コイル８が装着されている。コリメートレンズ加熱用金属板７は省略されていても良い。
【００３５】
以上のように構成された光ピックアップ装置について、以下、その動作、作用を説明する。まず、収差発生およびその補正メカニズムについて説明する。図５は光ピックアップ装置の光路図を示したものである。通常は、図５（ａ）の通り、コリメートレンズ２の焦点５２ａの位置にてレーザー光は発光し、コリメートレンズ２から平行光束となって出射され、対物レンズ３の焦点５３ａに位置する光ディスク９の信号面に集光する。
【００３６】
図５（ｃ）は、環境温度が上昇した場合の光路図である。環境温度が上昇すると、対物レンズ３は膨張し屈折率が低下するため、通常の焦点５３ａよりも遠い位置である５３ｃに焦点が変化し、球面収差等の収差が発生する。この時、環境温度の変化によりコリメートレンズ２の屈折率も変化しているが、前述の通り、コリメートレンズ２は対物レンズ３よりも、焦点距離が遠く設定されているため、その影響は小さい。
【００３７】
次に、環境温度が上昇した場合に発生する収差を補正する手段を説明する。図３のコリメートレンズ用の収差補正用コイル８に収差補正用の電流を流し、その電流によってコリメートレンズ２を加熱する。なお、収差補正用コイル８により発生する熱がコリメートレンズ２に不均一に伝わって、コリメートレンズ２に非点収差が生じることがある場合は、コリメートレンズ２を均一に加熱するためのコリメートレンズ加熱用金属板７をコリメートレンズ２の周囲に設けるとよい。
【００３８】
前述の通り、通常の光ピックアップ装置の光路図は、図５（ａ）の通りであり、環境温度が低下するとディスク面より近くで集光することになる。そこで、コリメートレンズ用の収差補正用コイル８に補正用の電流を流して、コリメートレンズ２を加熱する。コリメートレンズ２の温度が上昇したときの光路図は、図５（ｄ）に示されている。コリメートレンズ２の温度が上昇すると、その屈折率が低下し、コリメートレンズ２の焦点位置は、通常の５２ａと比べて遠い位置である５２ｄに変化する。しかし、レーザー１の発光位置は５２ａのまま変化しないため、コリメートレンズ２からは発散光が出射される。発散光になると、対物レンズ３の通常の焦点位置５３ａよりも遠い位置５３ｄに集光する。この集光点５３ｄは、環境温度の上昇により変化した対物レンズ３の焦点５３ｃを補正して、所定の集光点５３ａに近づいたことになる。
【００３９】
以上のように、コリメートレンズ２の温度を上昇させることによって、環境温度の上昇により対物レンズ３の焦点位置が遠くなることにより発生した収差を補正することができる。なお、コリメートレンズ用の収差補正用コイル８に流す電流量は、実施の形態１と同様、光ディスク９を再生した信号であるＲＦ信号の振幅を最大にする、もしくは再生信号の品位を示すジッター値を最小とするように収差補正電流制御手段１０により制御する構成とする。
【００４０】
以上のように、本実施の形態においては、コリメートレンズ用の収差補正用コイル８によりコリメートレンズ２を加熱して屈折率を変化させることにより、環境温度が上昇した場合に生じる球面収差等の収差を補正することができ、簡易な構成で高性能な光ピックアップ装置を実現できる。そして、このように収差補正用コイル８をコリメートレンズ２の周囲に設けて構成しているので、収差補正のためにコリメートレンズ２を移動させる必要がなく、収差補正用の可動手段を不要にできるので、小型化でき、簡易な構成で高性能な光ピックアップ装置を作ることができる。
【００４１】
（実施の形態４）
図４は、本発明の実施の形態４における光ピックアップ装置の構成図を示す。図４において、１は光源であるレーザー、２はレーザー光を平行光束にするコリメートレンズ、３は平行光束を光ディスク９の信号面に集光して投射する対物レンズである。対物レンズ３の周囲には、必要に応じて対物レンズ加熱用金属板５が設けられている。対物レンズ３には、通常、光ディスクの高さ方向、半径方向の２軸に可動できるように、それぞれ独立に２軸方向に対物レンズ駆動用コイル４が巻装されており、対物レンズ駆動用コイル４の一部または全部は、収差補正用コイルの一部または全部として兼用する。そのために、対物レンズ加熱用金属板５の周囲にも対物レンズ駆動用コイル４の一部が収差補正用コイル６として装着されている。コリメートレンズ２の周囲にも、必要に応じてコリメートレンズ加熱用金属板７が備えられており、コリメートレンズ加熱用金属板７には、コリメートレンズ用の収差補正手段であるコリメートレンズ用の収差補正用コイル８が装着されている。また、１０は収差補正電流制御手段、１１はレンズ系の収差検出手段である。なお、金属板５および７は省略しても良い。
【００４２】
以上のように構成された光ピックアップ装置において、実施の形態４における環境温度が低下した際の収差発生およびその収差補正手段のメカニズムは、上記実施の形態１、２において説明したのと同様であるので、説明は省略する。また、環境温度が上昇した際の収差発生およびその収差補正手段のメカニズムは、実施の形態３において説明したのと同様であるので、説明は省略する。これら両者が総合して、収差をより良好に補正することができる。
【００４３】
以上のように、本実施の形態における光ピックアップ装置は、環境温度が上昇する場合および低下する場合の両方の場合における球面収差等の収差を補正することができる。そして、このように対物レンズ用の収差補正用コイル６を対物レンズ3の周囲に、およびコリメートレンズ用の収差補正用コイル８をコリメートレンズ２の周囲に設けて構成しているので、収差補正のために対物レンズ3あるいはコリメートレンズ２を移動させる必要がなく、収差補正用の可動手段を不要にできるので、小型化でき、簡易な構成で高性能な光ピックアップ装置を作ることができる。また、レーザー１とコリメートレンズ２の相対位置ズレによって発生する収差およびコリメートレンズ２および対物レンズ３自身が有する収差も、本実施例によって補正することができる。
【００４４】
なお、本発明は、収差の厳密な補正が要求される高密度記録再生装置に特に有用である。また、上記実施例は、対物レンズおよびコリメートレンズを制御して収差補正するようにしたものであるが、本発明による収差補正制御用の対象はそれらのレンズには限られず、光ピックアップ装置に用いられるレンズ系のいずれの光学素子を制御するようにしてもよい。
【産業上の利用可能性】
【００４５】
以上のように、本発明にかかる光ピックアップ装置は、収差補正手段である収差補正用コイルによりレンズ系のいずれかの光学素子を加熱して小型で簡易な機構で球面収差等の収差を補正する高性能な光ピックアップ装置を構成することができるので、CDやDVDなどの光ディスク等の記録再生装置等に適用できる。
【図面の簡単な説明】
【００４６】
【図１】本発明の実施の形態１における光ピックアップ装置の構成図
【図２】本発明の実施の形態２における光ピックアップ装置の構成図
【図３】本発明の実施の形態３における光ピックアップ装置の構成図
【図４】本発明の実施の形態４における光ピックアップ装置の構成図
【図５】本発明の実施の形態１から４における光ピックアップ装置の光路図
【図６】従来例１における光ピックアップ装置の構成図
【図７】従来例２における光ピックアップ装置の構成図
【符号の説明】
【００４７】
１    レーザー
２    コリメートレンズ
３    対物レンズ
４    対物レンズ駆動用コイル
５    対物レンズ加熱用金属板
６    対物レンズ用の収差補正用コイル
７    コリメートレンズ加熱用金属板
８    コリメートレンズ用の収差補正用コイル
９    光ディスク
１０    収差補正電流制御手段
１１    収差検出手段
【図１】
2006031809.tif 000003
【図２】
2006031809.tif 000004
【図３】
2006031809.tif 000005
【図４】
2006031809.tif 000006
【図５】
2006031809.tif 000007
【図６】
2006031809.tif 000008
【図７】
2006031809.tif 000009